(57)【要約】      （修正有）【課題】動作時間による輝度低下を防止することができるプラズマディスプレイ装置及びプラズマディスプレイ装置の駆動方法を提供する。【解決手段】総動作時間によってサステインパルスの個数を調節するためのパルス個数信号を出力するサステインパルス調節部６００と、そのパルス個数信号に応じてタイミング信号を出力するタイミングコントローラ６４０、及び、そのタイミング信号に応じてサステインパルスを出力する電極駆動部６５０を備える。【選択図】図５
2006195461.tif 000002
【特許請求の範囲】
【請求項１】
総動作時間によってサステインパルスの個数を調節するためのパルス個数信号を出力するサステインパルス調節部と、
前記サステインパルス調節部からパルス個数信号を入力受けてパルス個数信号にあたるサステインパルスを出力するためのタイミング信号を出力するタイミングコントローラーと、
前記タイミングコントローラーから入力受けたタイミング信号によってサステインパルスを出力する電極駆動部と、
電極を含み、前記電極駆動部から出力されたサステインパルスを前記電極を通じて供給受けて画像を表示するプラズマディスプレイパネルと、
を含むことを特徴とするプラズマディスプレイ装置。
【請求項２】
前記サステインパルス調節部は、
前記総動作時間が増加するによってサステインパルスの個数を増加させるためのパルス個数信号を出力することを特徴とする、請求項１記載のプラズマディスプレイ装置。
【請求項３】
前記サステインパルス調節部は、
前記電極駆動部がサステイン電圧を供給する時点から計算された動作時間を累積して前記総動作時間を計算することを特徴とする、請求項１記載のプラズマディスプレイ装置。
【請求項４】
前記サステインパルス調節部は、
電源が供給される時点から計算された動作時間を累積して前記総動作時間を計算することを特徴とする、請求項１記載のプラズマディスプレイ装置。
【請求項５】
前記サステインパルス調節部は、
前記総動作時間が増加するによってすべてのサブフィールドのサステイン期間に割り当てされるサステインパルスの個数を増加させるためのパルス個数信号を出力することを特徴とする、請求項１記載のプラズマディスプレイ装置。
【請求項６】
前記サステインパルス調節部は、
前記総動作時間が増加するによってすべてのサブフィールド内の一つ以上のサブフィールドのサステイン期間に割り当てされるサステインパルスの個数を増加させるためのパルス個数信号を出力することを特徴とする、請求項１記載のプラズマディスプレイ装置。
【請求項７】
総動作時間による時間情報信号を出力する動作時間検出部と、
前記動作時間検出部から入力受けた前記時間情報信号によってサステインパルス個数の加重値にあたる加重値信号を出力する電力制御部と、
前記電力制御部から前記加重値信号によるサステインパルスの個数にあたるパルス個数信号を出力するサステインパルス個数決定部と、
前記サステインパルス個数決定部から入力受けた前記パルス個数信号にあたるサステインパルスを出力するためのタイミング信号を出力するタイミングコントローラーと、
前記タイミングコントローラーから入力受けたタイミング信号によってサステインパルスを出力する電極駆動部と、
電極を含み、 前記電極駆動部から出力されたサステインパルスを前記電極を通じて供給受けて画像を表示するプラズマディスプレイパネルと、
を含むことを特徴とするプラズマディスプレイ装置。
【請求項８】
前記動作時間検出部は、
前記電極駆動部がサステイン電圧を供給する時点から計算された動作時間を累積して前記総動作時間を計算することを特徴とする、請求項７記載のプラズマディスプレイ装置。
【請求項９】
前記動作時間検出部は、
電源が供給された時点から計算された動作時間を累積して前記総動作時間を計算することを特徴とする、請求項７記載のプラズマディスプレイ装置。
【請求項１０】
前記電力制御部は、
前記総動作時間によるサステインパルス個数の加重値を決めるための電力制御ルックアップテーブルを含むことを特徴とする、請求項７記載のプラズマディスプレイ装置。
【請求項１１】
前記電力制御部は、
前記総動作時間が増加するほど前記サステインパルス個数の加重値を増加させることを特徴とする、請求項７記載のプラズマディスプレイ装置。
【請求項１２】
前記サステインパルス個数の加重値は全体サブフィールドの内少なくとも一つのサブフィールドのサステイン期間に供給されるサステインパルス個数の加重値であることを特徴とする、請求項１１記載のプラズマディスプレイ装置。
【請求項１３】
前記サステインパルス個数の加重値は一つのフレーム期間に供給される全体サステインパルス個数の加重値であることを特徴とする、請求項１１記載のプラズマディスプレイ装置。
【請求項１４】
前記サステインパルス個数決定部は
前記サステインパルス個数の加重値によるサステインパルスの個数を決めるためのパルス個数ルックアップテーブルを含むことを特徴とする、請求項１１記載のプラズマディスプレイ装置。
【請求項１５】
電極を含むプラズマディスプレイ装置の駆動方法において、
総動作時間を計算して前記総動作時間による時間情報信号を出力する段階と、
前記時間情報信号によってサステインパルス個数の加重値にあたる加重値信号を出力する段階と、
前記加重値信号によるサステインパルスの個数にあたるパルス個数信号を出力する段階と、
前記パルス個数信号にあたるサステインパルスを出力するためのタイミング信号を出力する段階と、
前記タイミング信号によってサステインパルスを前記電極に出力する段階と
を含むプラズマディスプレイ装置の駆動方法。
【請求項１６】
前記総動作時間が増加するほど前記サステインパルス個数の加重値は増加することを特徴とする、請求項１５記載のプラズマディスプレイ装置の駆動方法。
【請求項１７】
前記サステインパルス個数の加重値は全体サブフィールドの内少なくとも一つのサブフィールドのサステイン期間に供給されるサステインパルス個数の加重値であることを特徴とする、請求項１６記載のプラズマディスプレイ装置の駆動方法。
【請求項１８】
前記サステインパルス個数の加重値は一つのフレーム期間に供給される全体サステインパルス個数の加重値であることを特徴とする、請求項１６記載のプラズマディスプレイ装置の駆動方法。
【請求項１９】
前記総動作時間はサステイン電圧を供給する時点から計算された動作時間を累積して計算されることを特徴とする、請求項１５記載のプラズマディスプレイ装置の駆動方法。
【請求項２０】
前記総動作時間は電源が供給された時点から計算された動作時間を累積して計算されることを特徴とする、請求項１５記載のプラズマディスプレイ装置の駆動方法。
【発明の詳細な説明】
【技術分野】
【０００１】
本発明はプラズマディスプレイ装置及びプラズマディスプレイ装置の駆動方法に関する。
【背景技術】
【０００２】
図１は一般的なプラズマディスプレイパネルの構造を示すのである。図１に示すように、一般的なプラズマディスプレイパネルは前面パネル１００と背面パネル１１０を含む。前面パネル１００は前面ガラス基板１０１を含み、背面パネル１１０は背面ガラス基板１１１を含む。前面パネル１００と背面パネル１１０は一定距離を間に置いて結合される。
【０００３】
前面ガラス基板１０１上には相互放電によってセルの発光を維持するための維持電極対が形成される。維持電極対はスキャン電極１０２とサステイン電極１０３を含む。スキャン電極１０２とサステイン電極１０３それぞれはＩＴＯ物質に形成された透明電極（１０２ａ、１０３ａ）と金属材質に製作されたバス電極（１０２ｂ、１０３ｂ）を含む。
【０００４】
スキャン電極１０２はスキャンのためのスキャンパルスと放電維持のためのサステインパルスを入力受ける。サステイン電極１０３はサステインパルスを入力受ける。上部誘電体層１０４は維持電極対（１１、１２）の上部に形成されて放電電流を制限して電極の間を絶縁させる。保護層１０５は誘電体層１０４上面に形成されて酸化マグネシウム（ＭｇＯ）からなる。
【０００５】
背面ガラス基板１１１上には維持電極対と交差されるアドレス電極１１３が形成される。下部誘電体層１１５はアドレス電極１１３の上部に形成されてアドレス電極１１３の間を絶縁させる。隔壁１１２は下部誘電体層１１５上に形成されて放電セルを区切る。蛍光層１１４は隔壁１１２と隔壁１１２の間に塗布されて画像の表示のための可視光線を放出する。
【０００６】
前面ガラス基板１０１と背面ガラス基板１１１はシーリング材（ｓｅａｌｉｎｇ  ｍａｔｅｒｉａｌ）によって合着される。ヘリウム（Ｈｅ）、ネオン（Ｎｅ）、キセノン（Ｘｅ）などのような不活性ガスは排気工程が遂行された後プラズマディスプレイパネル１００内部に注入される。
【０００７】
一般的なプラズマディスプレイ装置は駆動パルスを供給する駆動装置と駆動パルスによって動作するプラズマディスプレイパネルを含む。
【０００８】
図２は一般的なプラズマディスプレイ装置を示すのである。図２に示すように、一般的なプラズマディスプレイ装置はデータ整列部２００、タイミングコントローラー２０１、データ駆動部２０２、スキャン駆動部２０３及びサステイン駆動部２０４を含む。
【０００９】
データ整列部２００は外部から入力される映像データを整列する。
【００１０】
データ駆動部２０２はタイミングコントローラー２０１の制御によってデータ整列部２００によって整列された映像データをアドレス電極（Ｘ１〜Ｘｍ）に印加する。
【００１１】
スキャン駆動部２０３はタイミングコントローラー２０１の制御によってスキャンパルスとサステインパルスをスキャン電極（Ｙ１〜Ｙｎ）に印加する。
【００１２】
サステイン駆動部２０４はタイミングコントローラー２０１の制御によってサステインパルスをサステイン電極（Ｚ）に印加する。
【００１３】
プラズマディスプレイパネルで画像階調を具現する方法は図３のようである。
【００１４】
図３は一般的なプラズマディスプレイパネルの画像階調の具現方法を示すのである。図３に示すように、一つのフレームは多数のサブフィールドで分けられて、各サブフィールドはリセット期間、アドレス期間及びサステイン期間で分けられる。サステイン期間は各サブフィールドで２ｎ(但し、ｎ＝ ０、１、２、３、４、５、６、７)の割合で増加する。各サブフィールドでサステイン期間が変わるので各サブフィールドのサステイン放電回数が調節されて画像の階調が表現される。
【００１５】
一方、一般的なプラズマディスプレイ装置は動作時間によって図５のように、光の輝度が漸進的に減殺する問題点がある。
【００１６】
図４の（ａ）及び（ｂ）は一般的なプラズマディスプレイ装置の輝度減殺傾向を示すグラフである。図４の（ａ）は一般的なプラズマディスプレイ装置が動作時間によってフルホワイト（ｆｕｌｌ  ｗｈｉｔｅ）映像パターンを表示した時フルホワイト映像パターンの輝度減衰率を示す。図４の（ｂ）は一般的なプラズマディスプレイ装置が動作時間によってピークホワイト（ｐｅａｋ  ｗｈｉｔｅ）映像パターンを表示した時ピークホワイト映像パターンの輝度減殺率を示す。ここで、ｘ軸はプラズマディスプレイパネルの動作時間（ｈｒ）で、ｙ軸は輝度減殺率(%)である。
【００１７】
図４の（ａ）及び（ｂ）に示すように、一般的なプラズマディスプレイ装置では動作時間によって輝度が漸進的に減殺する。特に、図４の（ｂ）に示すように、一般的なプラズマディスプレイ装置がピークホワイトの映像パターンを表示した時輝度の減殺がひどく起きる。輝度減殺現象はプラズマディスプレイパネルの動作時間によって蛍光体が劣化されるから現われる。これによってプラズマディスプレイ装置が表示する映像の画質の悪くなる問題点が発生する。
【発明の開示】
【発明が解決しようとする課題】
【００１８】
本発明の目的は、動作時間による輝度低下を防止することができるプラズマディスプレイ装置及び駆動方法を提供することである。
【００１９】
本発明の他の目的は動作時間による画質低下を防止することができるプラズマディスプレイ装置及び駆動方法を提供することである。
【課題を解決するための手段】
【００２０】
本発明の実施形態によるプラズマディスプレイ装置は、総動作時間によってサステインパルスの個数を調節するためのパルス個数信号を出力するサステインパルス調節部と、前記サステインパルス調節部からパルス個数信号を入力受けてパルス個数信号にあたるサステインパルスを出力するためのタイミング信号を出力するタイミングコントローラーと、前記タイミングコントローラーから入力受けたタイミング信号によってサステインパルスを出力する電極駆動部と、電極を含んで前記電極駆動部から出力されたサステインパルスを前記電極を通じて供給受けて画像を表示するプラズマディスプレイパネルとを含む。
【００２１】
本発明の実施形態によるプラズマディスプレイ装置は、総動作時間による時間情報信号を出力する動作時間検出部と、前記動作時間検出部から入力受けた前記時間情報信号によってサステインパルス個数の加重値にあたる加重値信号を出力する電力制御部と、前記電力制御部から前記加重値信号によるサステインパルスの個数にあたるパルス個数信号を出力するサステインパルス個数決定部と、前記サステインパルス調節部から入力受けた前記パルス個数信号にあたるサステインパルスを出力するためのタイミング信号を出力するタイミングコントローラーと、前記タイミングコントローラーから入力受けたタイミング信号によってサステインパルスを出力する電極駆動部と、電極を含んで前記電極駆動部から出力されたサステインパルスを前記電極を通じて供給受けて画像を表示するプラズマディスプレイパネルとを含む。
【００２２】
本発明の実施形態によるプラズマディスプレイ装置の駆動方法は、総動作時間を計算して前記総動作時間による時間情報信号を出力する段階と、前記時間情報信号によってサステインパルス個数の加重値にあたる加重値信号を出力する段階と、前記加重値信号によるサステインパルスの個数にあたるパルス個数信号を出力する段階と、前記パルス個数信号にあたるサステインパルスを出力するためのタイミング信号を出力する段階及び前記タイミング信号によってサステインパルスを前記電極に出力する段階とを含む。
【００２３】
前記サステインパルス調節部は前記総動作時間が増加するによってサステインパルスの個数を増加させるためのパルス個数信号を出力することができる。
【００２４】
前記サステインパルス調節部は前記電極駆動部がサステイン電圧を供給する時点から計算された動作時間を累積して前記総動作時間を計算することができる。
【００２５】
前記サステインパルス調節部は電源が供給される時点から計算された動作時間を累積して前記総動作時間を計算することができる。
【００２６】
前記サステインパルス調節部は前記総動作時間が増加するによってすべてのサブフィールドのサステイン期間に割り当てされるサステインパルスの個数を増加させるためのパルス個数信号を出力することができる。
【００２７】
前記サステインパルス調節部は前記総動作時間が増加するによってすべてのサブフィールド内の一つ以上のサブフィールドのサステイン期間に割り当てされるサステインパルスの個数を増加させるためのパルス個数信号を出力することができる。
【００２８】
前記動作時間検出部は前記電極駆動部がサステイン電圧を供給する時点から計算された動作時間を累積して前記総動作時間を計算することができる。
【００２９】
前記動作時間検出部は電源が供給された時点から計算された動作時間を累積して前記総動作時間を計算することができる。
【００３０】
前記電力制御部は前記総動作時間によるサステインパルス個数の加重値を決めるための電力制御ルックアップテーブルを含むことができる。
【００３１】
前記電力制御部は前記総動作時間が増加するほど前記サステインパルス個数の加重値を増加させることができる。
【００３２】
前記サステインパルス個数の加重値は全体サブフィールドの中で少なくとも一つのサブフィールドのサステイン期間に供給されるサステインパルス個数の加重値であることができる。
【００３３】
前記サステインパルス個数の加重値は一つのフレーム期間に供給される全体サステインパルス個数の加重値であることができる。
【００３４】
前記サステインパルス個数決定部は前記サステインパルス個数の加重値によるサステインパルスの個数を決めるためのパルス個数ルックアップテーブルを含むことができる。
【００３５】
前記総動作時間が増加するほど前記サステインパルス個数の加重値は増加することができる。
【００３６】
前記サステインパルス個数の加重値は全体サブフィールドの内少なくとも一つのサブフィールドのサステイン期間に供給されるサステインパルス個数の加重値であることができる。
【００３７】
前記サステインパルス個数の加重値は一つのフレーム期間に供給される全体サステインパルス個数の加重値であることができる。
【００３８】
前記総動作時間はサステイン電圧を供給する時点から計算された動作時間を累積して計算されることができる。
【００３９】
前記総動作時間は電源が供給された時点から計算された動作時間を累積して計算されることができる。
【発明の効果】
【００４０】
本発明の実施形態によるプラズマディスプレイ装置及び駆動方法は動作時間による輝度低下を防止することができる。
【００４１】
本発明の実施形態によるプラズマディスプレイ装置及び駆動方法は動作時間による画質低下を防止することができる。
【発明を実施するための最良の形態】
【００４２】
以下では本発明による具体的な実施形態を添付された図面を参照して説明する。
【００４３】
図５は本発明の実施形態によるプラズマディスプレイ装置のブロック構成図である。図５に示すように、本発明のプラズマディスプレイ装置は、サステインパルス調節部６００、タイミングコントローラー６４０、電極駆動部６５０及びプラズマディスプレイパネル６６０を含む。
【００４４】
サステインパルス調節部６００はプラズマディスプレイパネル６６０の総動作時間によってサステインパルスの個数を調節するためのパルス個数信号を出力する。サステインパルス調節部６００は総動作時間が増加するによってサステインパルスの個数を増加させるためのパルス個数信号を出力する。
【００４５】
タイミングコントローラー６４０はサステインパルス調節部６００からパルス個数信号を入力受けてパルス個数信号にあたるサステインパルスを出力するためのタイミング信号を出力する。
【００４６】
電極駆動部６５０はタイミングコントローラー６４０から入力受けたタイミング信号によってサステインパルスを出力する。
【００４７】
プラズマディスプレイパネル６６０は電極を含み、電極駆動部６５０から出力されたサステインパルスを電極を通じて供給受けて画像を表示する。
【００４８】
サステインパルス調節部６００は電極駆動部６５０が放電セルの放電を維持するためのサステイン電圧を供給する時点から計算された動作時間を累積して総動作時間を計算することができる。またサステインパルス調節部６００は電源供給部６７０が電源を供給する時点から計算された動作時間を累積して総動作時間を計算することができる。
【００４９】
本発明の実施形態によるプラズマディスプレイ装置はプラズマディスプレイパネルの動作時間が増加するによって減殺するプラズマディスプレイパネルの輝度を償うためにサブフィールドのサステイン期間に割り当てされるサステインパルスの個数を増加させる。
【００５０】
サステインパルス調節部６００はプラズマディスプレイパネルの総動作時間が増加するによってすべてのサブフィールドのサステイン期間に割り当てされるサステインパルスの個数を増加させるためのパルス個数信号を出力することもできて、すべてのサブフィールド内の一つ以上のサブフィールドのサステイン期間に割り当てされるサステインパルスの個数を増加させるためのパルス個数信号を出力することもできる。
【００５１】
図６は本発明の実施形態によるサステインパルス調節部の一実施形態を示すのである。サステインパルス調節部６００の一実施形態はプラズマディスプレイパネルの総動作時間が増加するによってサステインパルスの個数を増加させるためにサステインパルスの個数加重値を増加させる。
【００５２】
本発明の一実施形態によるサステインパルス調節部６００は動作時間検出部６１０、電力制御部６２０及びサステインパルス個数決定部６３０を含む。
【００５３】
動作時間検出部６１０はプラズマディスプレイパネルの動作時間を検出して、以前までの動作時間に現在の動作時間を合算して総動作時間を計算して総動作時間による時間情報信号を出力する。動作時間検出部６１０は図５の電極駆動部６５０が放電セルの放電を維持するためのサステイン電圧を供給する時点から計算された動作時間を累積して総動作時間を計算することができる。また動作時間検出部６１０は電源供給部６７０が電源を供給する時点から計算された動作時間を累積して総動作時間を計算することができる。
【００５４】
電力制御部６２０は動作時間検出部６１０から入力受けた時間情報信号によってサステインパルス個数の加重値にあたる加重値信号を出力する。電力制御部６２０は総動作時間によるサステインパルス個数の加重値を決めるために電力制御ルックアップテーブル（Ｌｏｏｋ−ｕｐ  Ｔａｂｌｅ）を含む。電力制御部６２０は総動作時間が増加するほどサステインパルス個数の加重値を増加させる。サステインパルス個数の加重値は全体サブフィールドの中で少なくとも一つのサブフィールドのサステイン期間に供給されるサステインパルス個数の加重値であることもできて、一つのフレーム期間に供給される全体サステインパルス個数の加重値であるかも知れない。
【００５５】
サステインパルス個数決定部６３０は電力制御部６２０から加重値信号を入力受けてサステインパルス個数の加重値によるサステインパルスの個数にあたるパルス個数信号を出力する。サステインパルス個数決定部６３０はサステインパルス個数の加重値によるサステインパルスの個数を決めるためのパルス個数ルックアップテーブルを含む。すなわち、サステインパルス個数決定部６３０は加重値の変化によるサステインパルス個数の変化のために加重値信号を変更フラッグ信号を入力受けてパルス個数ルックアップテーブルを変更する。サステインパルス個数の加重値によるサステインパルス個数は図７の電力特性曲線を利用して決まる。
【００５６】
図７は本発明の実施形態によってサステインパルス個数の加重値によるサステインパルスの個数を決めるための電力特性曲線のグラフである。図７に示すパラメーターは次のようなものである。
【００５７】
Ｌｏａｄ  ｒａｔｉｏは毎フレームごとに表示される画面のAPL（Ａｖｅｒａｇｅ  Ｐｉｃｔｕｒｅ  Ｌｅｖｅｌ）である。Ｌｔｈは基準ＡＰＬ値である。Ｐｏｗｅｒｌｉｍｉｔはプラズマディスプレイパネルに供給される電力の制限値である。
【００５８】
図７の電力特性曲線で電力（P）はＬｏａｄ  ｒａｔｉｏ（L）に線形形比例するので電力（P）とＬｏａｄ  ｒａｔｉｏ（L）の関係は次の式１の通りである。
【００５９】
［式１］
P=Po+a*L
【００６０】
PoはL=０％仕事の時の電力である。
【００６１】
Pはサステインパルスの個数（Ns）に比例するので式１のPoとaをNsの関数で変換すれば次の式２の通りとなる。
【００６２】
[式２]
P=f(Ns, L)=Po(Ns)+a(Ns)*L=(A+B*Ns)+(C+D*Ns)*L
【００６３】
A、B、C及びDは定数である。式2と次の表1のようなプラズマディスプレイパネルの総動作時間によるサステインパルス個数の加重値及び電力値を利用してＬｏａｄ  ｒａｔｉｏ（L）によるサステインパルスの個数が計算されることができる。
【００６４】
【表１】
2006195461.tif 000003
【００６５】
プラズマディスプレイパネルの総動作時間によるサステインパルス個数の加重値及び電力値は場合によって変更可能である。
【００６６】
図８は本発明の実施形態による動作時間検出部の動作方法を説明するための手順図である。
【００６７】
図６の動作時間検出部６１０は図５の電極駆動部６５０がサステイン電圧（Ｖｓ）を印加するかどうかを判断する（８００Ａ）。動作時間検出部６１０は図５の電源供給部６７０が電源を供給するかどうかを判断することもできる。
【００６８】
サステイン電圧または電源が印加されれば、動作時間検出部６１０の１６ビート（16-bit）または８ビート（8-bit）のタイマー(図示しない)が作動する（８００Ｂ）。
【００６９】
タイマーは一定時間が経てばオーバーフラッグ（Ｏｖｅｒ  Ｆｌａｇ）を発生する（８００Ｃ）。
【００７０】
タイマーはオーバーフラッグを以前まで累積した動作時間に加えることでプラズマディスプレイパネルの最初動作時から現在までの累積した総動作時間を求める（８００Ｄ）。
【００７１】
動作時間検出部６１０は現在総動作時間とあらかじめ設定された動作時間しきい値を比べる（８００Ｅ）。表１で動作時間しきい値は５００時間であり、４００時間以上６００時間以下に設定されることができる。
【００７２】
動作時間検出部６１０は現在総動作時間が動作時間しきい値を超過する場合、サステインパルスの個数を調節するための時間情報信号を図６の電力制御部６２０に出力する（８００Ｆ）。
【００７３】
図９は本発明の実施形態によるプラズマディスプレイ装置の動作手順図である。
【００７４】
図５の電源供給部６７０が電源を供給し始めれば、タイミングコントローラー６４０はサステインパルス個数の変更のための変更フラッグ信号が存在するかどうかを判断する（９００Ａ）。
【００７５】
フラッグ信号が存在すれば、図６のサステインパルス個数決定部６３０は加重値の変化に従ってサステインパルスの個数を増加させるためのサステインパルス個数ルックアップテーブルをタイミングコントローラー６４０に送ってタイミング信号を出力する（９００Ｂ）。
【００７６】
図６の動作時間検出部６１０は図５の電極駆動部６５０がサステイン電圧（Ｖｓ）を印加するかどうかを判断する。動作時間検出部６１０は図５の電源供給部６７０が電源を供給するかどうかを判断することもできる（９００Ｃ）。
【００７７】
サステイン電圧または電源が印加されれば、動作時間検出部６１０の１６ビートまたは８ビートのタイマー(図示しない)が作動する（９００Ｄ）。
【００７８】
タイマーは一定時間が経てばオーバーフラッグ（Ｏｖｅｒ  Ｆｌａｇ）を発生する（９００Ｅ）。
【００７９】
タイマーはオーバーフラッグを以前まで累積した動作時間に加えることでプラズマディスプレイパネルの最初動作時から現在までの累積した総動作時間を求める（９００Ｆ）。
【００８０】
動作時間検出部６１０は現在総動作時間とあらかじめ設定された動作時間しきい値を比べる（９００Ｇ）。表１で動作時間しきい値は５００時間であり、４００時間以上６００時間以下に設定されることができる。
【００８１】
動作時間がしきい値を超過する場合、電力制御部６２０とサステインパルス個数決定部６３０を通じてサステインパルスの個数が決まった後タイミングコントローラー６４０がサステインパルスの供給のためのタイミング信号を出力する（９００Ｈ）。これで、動作時間が増加するによって低下された輝度を償うことができる。電力制御部６２０は総動作時間が増加するほどサステインパルス個数の加重値を増加させる。サステインパルス個数の加重値は全体サブフィールドの中で少なくとも一つのサブフィールドのサステイン期間に供給されるサステインパルス個数の加重値であることもできて、一つのフレーム期間に供給される全体サステインパルス個数の加重値であることもある。
【００８２】
動作時間がしきい値以下の場合、現在まで累積した動作時間は貯蔵されて、プラズマディスプレイパネルの動作有無を検出する段階にリターンする（９００Ｉ）。
【００８３】
動作時間検出部６１０は電源供給部６７０から電源が供給されないなのかを判断する（９００Ｊ）。
【００８４】
電源が供給されない場合サステインパルス個数の変更フラッグが貯蔵される（９００Ｋ）。電源が供給される場合タイマーでオーバーフラッグが発生する段階にリターンする（９００Ｅ）。
【図面の簡単な説明】
【００８５】
【図１】一般的なプラズマディスプレイパネルの構造を示す図。
【図２】一般的なプラズマディスプレイ装置を示す図。
【図３】一般的なプラズマディスプレイパネルの画像階調の具現方法を示す図。
【図４】（ａ）及び（ｂ）は一般的なプラズマディスプレイ装置の輝度減殺傾向を示す図。
【図５】本発明の実施形態によるプラズマディスプレイ装置のブロック図。
【図６】本発明の実施形態によるサステインパルス調節部の一つの実施形態を示す図。
【図７】本発明の実施形態によってサステインパルス個数の加重値によるサステインパルスの個数を決めるための電力特性曲線のグラフ。
【図８】本発明の実施形態による動作時間検出部の動作方法を説明するための手順図。
【図９】本発明の実施形態によるプラズマディスプレイ装置の動作手順図である。
【符号の説明】
【００８６】
６００…サステインパルス調節部、６１０…動作時間検出部、６２０…電力制御部、６３０…サステインパルス個数決定部、６４０…タイミングコントローラー、６５０…電極駆動部、６６０…プラズマディスプレイパネル、６７０…電源供給部
【図１】
2006195461.tif 000004
【図２】
2006195461.tif 000005
【図３】
2006195461.tif 000006
【図４】
2006195461.tif 000007
【図５】
2006195461.tif 000008
【図６】
2006195461.tif 000009
【図７】
2006195461.tif 000010
【図８】
2006195461.tif 000011
【図９】
2006195461.tif 000012